(57)【要約】【課題】永久磁石で取り付けられる着脱自在製品に防振性を持たせること。【解決手段】マグネットクランプ１はクランプ機能部２を備えている。クランプ機能部２の基板部３には柔軟部１１が積層され、柔軟部１１には永久磁石１２が積層されており、基板部３と永久磁石１２とで柔軟部１１を挟んだ３層構造が形成されている。マグネットクランプ１は、永久磁石１２の磁力により鋼板等に取り付けられる。エラストマである柔軟部１１を備えているので、他者（取付け相手又は保持したパイプや電線等）から振動が与えられた場合に、この振動を柔軟部１１により低減できる。【選択図】図１
2009120210.tif 000002
【特許請求の範囲】
【請求項１】
硬質合成樹脂からなる硬質部と、柔軟性素材からなる柔軟部と、永久磁石とで構成される３層構造を有し、前記永久磁石の磁力によって他の物体に取付けられる着脱自在製品。
【請求項２】
前記柔軟部が前記硬質部と前記永久磁石とに挟まれている請求項１記載の着脱自在製品。
【請求項３】
前記永久磁石が前記硬質部と前記柔軟部とに挟まれている請求項１記載の着脱自在製品。
【発明の詳細な説明】
【技術分野】
【０００１】
本発明は、永久磁石の磁力によって他の物体に取付けられる着脱自在製品の技術分野に属する。
【背景技術】
【０００２】
永久磁石の磁力によって他の物体に取付けられる着脱自在製品は公知である。例えば特開平１０−１９４３２２号公報（特許文献１）には、ポリアミドからなる取付基板２の裏面に設けた凹部５に磁石片６を嵌着した構成を備え、磁力により取付パネル４０に固定し、また必要に応じて取付位置を修正したり、取付場所を変更したりできる長尺体保持具１が記載されている。
【特許文献１】特開平１０−１９４３２２号公報
【発明の開示】
【発明が解決しようとする課題】
【０００３】
特許文献１に記載の長尺体保持具は、硬質樹脂（取付基板２）と永久磁石（磁石片６）との２層構造であるため、防振性が不十分であった。
【課題を解決するための手段】
【０００４】
請求項１記載の着脱自在製品は、硬質合成樹脂からなる硬質部と、柔軟性素材からなる柔軟部と、永久磁石とで構成される３層構造を有し、前記永久磁石の磁力によって他の物体に取付けられる。
【０００５】
３層構造の１層として柔軟性素材からなる柔軟部を備えているので、他者から振動が与えられた場合に、この振動を柔軟部により低減できる。
なお、柔軟部を構成する柔軟性素材としては、エラストマ、ゴム等が例示される。
【０００６】
また、３層構造は、請求項２記載のように、前記柔軟部が前記硬質部と前記永久磁石とに挟まれている構成でもよいし、請求項３記載のように、前記永久磁石が前記硬質部と前記柔軟部とに挟まれている構成でもよい。
【発明を実施するための最良の形態】
【０００７】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
図１に示すのは、着脱自在製品の一種であるマグネットクランプ１である。
【０００８】
マグネットクランプ１は硬質部としてのクランプ機能部２を備えている。このクランプ機能部２は、硬質合成樹脂（例えばポリアミド、ＰＰ、ＰＥ等）の成形品である。
クランプ機能部２は板状の基板部３、基板部３に立設されたロックブロック４、基端部が基板部３に連接されたクランプバンド５を備えている。
【０００９】
クランプバンド５は弓状に湾曲した帯状をしている。クランプバンド５の先端部はＵ字状に折り返されてＵ字部６とされている。Ｕ字部６には突起７が設けられ、Ｕ字部６の端部には操作片８が連接されている。
【００１０】
一方、ロックブロック４の内部は空洞９になっており、その入口部分には係止突起１０が設けられている。
Ｕ字部６を空洞９に押し込んで突起７を係止突起１０に係止させると、基板部３、ロックブロック４、クランプバンド５により環状の閉鎖構造が形成される。この環状の閉鎖構造にてパイプや電線等の長尺物を保持できる。また、操作片８を押し込むようにして、係止突起１０による突起７の係止を解除すれば、Ｕ字部６を空洞９から抜き取ること（環状の閉鎖構造の解消）が可能である。
【００１１】
基板部３の下面には、エラストマからなる柔軟部１１が積層されている。そして、柔軟部１１の下面には板状の永久磁石１２が積層されている。すなわち、基板部３と永久磁石１２とで柔軟部１１を挟んだ３層構造が形成されている。
【００１２】
このマグネットクランプ１は、永久磁石１２の磁力により鋼板等の表面に取り付けて使用され、以下の通りの効果を奏する。
（１）磁力によって取り付けるので、相手側の表面が凹凸形状であっても取付可能である。
（２）相手側の表面に加工オイル、埃、水等が付着していても取付可能である。
（３）取付位置を容易に変更できる。
（４）両面粘着テープのように経時的に粘着力が低下することはない。
（５）両面粘着テープのように相手側に粘着物が付着することはない。
（６）表面保護のためのライナーが不要であるから、廃棄物を削減できる。
（７）取付穴が不要であるため、固定用ネジが削減できる。
（８）スナップ固定のように樹脂部を複雑な構造にする必要がないため、金型が簡素化できる。
（９）エラストマである柔軟部１１を備えているので、他者（取付け相手又は保持したパイプや電線等）から振動が与えられた場合に、この振動を柔軟部１１により低減できる。
［実施例２］
図２に示すとおり、本実施例のマグネットクランプ１ａは、基板部３の下面に永久磁石１２を積層し、永久磁石１２の下面に柔軟部１１を積層して、基板部３と柔軟部１１とで永久磁石１２を挟んだ３層構造として点で実施例１のマグネットクランプ１とは相違するが、その他の構成は実施例１と共通している。
【００１３】
したがって、マグネットクランプ１ａは、以下の通りの効果を奏する。
（１）磁力によって取り付けるので、相手側の表面が凹凸形状であっても取付可能である。
（２）相手側の表面に加工オイル、埃、水等が付着していても取付可能である。
（３）取付位置を容易に変更できる。
（４）両面粘着テープのように経時的に粘着力が低下することはない。
（５）両面粘着テープのように相手側に粘着物が付着することはない。
（６）取付穴が不要であるため、固定用ネジが削減できる。
（７）スナップ固定のように樹脂部を複雑な構造にする必要がないため、金型が簡素化できる。
（８）エラストマである柔軟部１１を備えているので、他者（取付け相手又は保持したパイプや電線等）から振動が与えられた場合に、この振動を柔軟部１１により低減できる。
［実施例３］
着脱自在製品をケーブル保護具として具体化した例を実施例３として説明する。
【００１４】
ケーブル保護具２０は、硬質部としての保護管部２１を備えている。この保護管部２１は、硬質合成樹脂（例えばポリアミド、ＰＰ、ＰＥ等）の成形品である。保護管部２１は、管部２２とフランジ部２３とで構成されており、挿通孔２４が貫通している。
【００１５】
リング状の永久磁石２５は、管部２２に外嵌してフランジ部２３に積層されている。また、エラストマからなるリング状の柔軟部２６は、管部２２に外嵌して永久磁石２５に積層されている。
【００１６】
管部２２のフランジ部２３からの突出長さは永久磁石２５と柔軟部２６とを合計した厚みよりも長く、その先端部は柔軟部２６から突出している。
ケーブル保護具２０は、管部２２の先端部を、パネル２７に設けられた貫通穴２８にはめ込んで使用される。但し、単に管部２２の先端部を貫通穴２８にはめ込んだだけでは容易に脱落するので、補助具２９が用いられる。
【００１７】
補助具２９は、硬質合成樹脂（例えばポリアミド、ＰＰ、ＰＥ等）製の樹脂リング３１とリング状の永久磁石３２とを積層して構成されており、挿通孔３３が貫通している。
上述したようにケーブル保護具２０をパネル２７に取り付けて、その反対側に補助具２９を配して、永久磁石２５と永久磁石３２とを磁力で引き付け合わせることで、ケーブル保護具２０及び補助具２９をパネル２７に固定する。そして、連通状態になった挿通孔２４、挿通孔３３にケーブルを通す。
【００１８】
ケーブル保護具２０は、以下の通りの効果を奏する。
（１）磁力によって取り付けるので、相手側の表面が凹凸形状であっても取付可能である。
（２）パネル２７の表面に加工オイル、埃、水等が付着していても取付可能である。
（３）両面粘着テープのように経時的に粘着力が低下することはない。
（４）両面粘着テープのように相手側に粘着物が付着することはない。
（５）パネル２７に取り付けるためのスナップ等が不要であるから、構造が単純化され、金型が簡素化できる。
（６）貫通穴２８は丸穴で十分であり、異形穴にする必要が無くなる。
（７）永久磁石２５、３２によって鉄粉等を捉えることができ、それらが機器の内部に侵入してショートの原因になるのを防止できる。
（８）エラストマである柔軟部２６を備えているので、他者（パネル２７又はケーブル）から振動が与えられた場合に、この振動を柔軟部２６により低減できる。また、ケーブルが動いた場合にも、ケーブル保護具２０の動きを柔軟部２６により吸収できる。
（９）柔軟部２６を構成しているエラストマの粘着性を変化させることで、貫通穴２８から機器内へ侵入しようとする塵や埃などを柔軟部２６に付着させて、侵入を防止できる。
［実施例４］
着脱自在製品を吸盤として具体化した例を実施例４として説明する。
【００１９】
吸盤３５はエラストマの成形品である吸盤本体３６を備えており、吸盤本体３６には突起３８が設けられている。また、吸盤本体の外面の中央部には磁石部３７が連接されている。この磁石部３７は、円盤状の永久磁石を硬質合成樹脂（例えばポリアミド、ＰＰ、ＰＥ等）で被覆したものである。
【００２０】
吸盤３５は、吸盤本体３６を相手側に押し当てることで、公知の吸盤効果により仮固定できる。本固定する場合は、磁石部３７を押圧して吸盤本体３６を圧迫し、取付相手との距離を縮めて磁石の磁力でも固定する。突起３８を引っ張れば取り外しは容易である。
【図面の簡単な説明】
【００２１】
【図１】実施例１のマグネットクランプの平面図（ａ）、左側面図（ｂ）、正面図（ｃ）、右側面図（ｄ）、背面図（ｅ）、底面図（ｆ）、斜視図（ｇ）。
【図２】実施例２のマグネットクランプの平面図（ａ）、左側面図（ｂ）、正面図（ｃ）、右側面図（ｄ）、背面図（ｅ）、底面図（ｆ）、斜視図（ｇ）。
【図３】実施例３のケーブル保護具の説明図。
【図４】実施例４の吸盤の説明図。
【符号の説明】
【００２２】
１、１ａ・・・マグネットクランプ、
２・・・クランプ機能部、
３・・・基板部、
１１・・・柔軟部、
１２・・・永久磁石、
２０・・・ケーブル保護具、
２１・・・保護管部、
２５・・・永久磁石、
２６・・・柔軟部、
２９・・・補助具、
３５・・・吸盤、
３６・・・吸盤本体、
３７・・・磁石部。
【図１】
2009120210.tif 000003
【図２】
2009120210.tif 000004
【図３】
2009120210.tif 000005
【図４】
2009120210.tif 000006